【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
１以上の第１の端末装置と、サーバ装置と、１以上の第２の端末装置とを備え、
前記１以上の第１の端末装置の各々は、
処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を取得する取得手段と、
前記取得手段が取得した処方箋情報を前記サーバ装置に送信する送信手段と
を備え、
前記サーバ装置は、
前記１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する受信手段と、
前記受信手段が受信した処方箋情報を記憶する記憶手段と
を備え、
前記受信手段は、前記１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信し、
前記受信手段が、前記１以上の第２の端末装置のいずれかから患者認証情報を受信した場合、当該前記記憶手段が記憶している処方箋情報のうち、当該患者認証情報を含む処方箋情報に含まれる処方薬情報を、当該患者認証情報の送信元の第２の端末装置に送信する送信手段
を備え、
前記１以上の第２の端末装置の各々は、
患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する取得手段と、
自装置の前記取得手段が取得した患者認証情報を前記サーバ装置に送信する送信手段と、
自装置の前記送信手段による患者認証情報の送信に対する応答として前記サーバ装置から送信されてくる、処方された薬剤を示す処方薬情報を受信する受信手段と
を備える
システム。
【請求項２】
１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する受信手段と、
前記受信手段が受信した処方箋情報を記憶する記憶手段と
を備え、
前記受信手段は、１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信し、
前記受信手段が、前記１以上の第２の端末装置のいずれかから患者認証情報を受信した場合、前記記憶手段が記憶している処方箋情のうち、当該患者認証情報を含む処方箋情報に含まれる処方薬情報を、当該患者認証情報の送信元の第２の端末装置に送信する送信手段
を備えるサーバ装置。
【請求項３】
前記送信手段が処方薬情報を前記１以上の第２の端末装置のいずれかに送信した場合、前記記憶手段は、当該処方薬情報を含む処方箋情報に対応付けて、送信済を示す送信情報を記憶し、
前記送信手段は、前記受信手段が受信した患者認証情報を含む処方箋情報が、送信済を示す送信情報と対応付けて前記記憶手段により記憶されている場合、当該処方箋情報に含まれる処方薬情報を、前記受信手段が受信した患者認証情報の送信元の第２の端末装置に送信しない
請求項２に記載のサーバ装置。
【請求項４】
患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する取得手段と、
前記取得手段が取得した患者認証情報をサーバ装置に送信する送信手段と、
前記送信手段による患者認証情報の送信に対する応答として前記サーバ装置から送信されてくる、処方された薬剤を示す処方薬情報を受信する受信手段と
を備える端末装置。
【請求項５】
前記取得手段は、記録媒体に磁気により記録されている情報を読み取る磁気情報読取手段を備え、前記磁気情報読取手段により記録媒体から医療機関識別情報と患者識別情報とを読み取って取得する
請求項４に記載の端末装置。
【請求項６】
前記取得手段は、記録媒体に形成されている画像を読み取って文字認識処理を行う文字情報読取手段を備え、前記文字情報読取手段により記録媒体から保険機関識別情報と被保険者識別情報とを読み取って取得する
請求項４または５に記載の端末装置。
【請求項７】
コンピュータに、
１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する処理と、
前記受信した処方箋情報を記憶する処理と、
１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信する処理と、
前記１以上の第２の端末装置のいずれかから患者認証情報を受信した場合、記憶している処方箋情報のうち、当該患者認証情報を含む処方箋情報に含まれる処方薬情報を、当該患者認証情報の送信元の第２の端末装置に送信する処理と
を実行させるためのプログラム。
【請求項８】
コンピュータに、
患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する処理と、
前記取得した患者認証情報をサーバ装置に送信する処理と、
患者認証情報の送信に対する応答として前記サーバ装置から送信されてくる、処方された薬剤を示す処方薬情報を受信する処理と
を実行させるためのプログラム。
【手続補正２】
【補正対象書類名】明細書
【補正対象項目名】０００５
【補正方法】変更
【補正の内容】
【０００５】
上記の課題を解決するため、本発明は、一実施態様として、１以上の第１の端末装置と、サーバ装置と、１以上の第２の端末装置とを備え、前記１以上の第１の端末装置の各々は、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を取得する取得手段と、前記取得手段が取得した処方箋情報を前記サーバ装置に送信する送信手段とを備え、前記サーバ装置は、前記１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する受信手段と、前記受信手段が受信した処方箋情報を記憶する記憶手段とを備え、前記受信手段は、前記１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信し、前記受信手段が、前記１以上の第２の端末装置のいずれかから患者認証情報を受信した場合、当該前記記憶手段が記憶している処方箋情報のうち、当該患者認証情報を含む処方箋情報に含まれる処方薬情報を、当該患者認証情報の送信元の第２の端末装置に送信する送信手段を備え、前記１以上の第２の端末装置の各々は、患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する取得手段と、自装置の前記取得手段が取得した患者認証情報を前記サーバ装置に送信する送信手段と、自装置の前記送信手段による患者認証情報の送信に対する応答として前記サーバ装置から送信されてくる、処方された薬剤を示す処方薬情報を受信する受信手段とを備えるシステムを提供する。
【手続補正３】
【補正対象書類名】明細書
【補正対象項目名】０００６
【補正方法】変更
【補正の内容】
【０００６】
また、本発明は、一実施態様として、１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する受信手段と、前記受信手段が受信した処方箋情報を記憶する記憶手段とを備え、前記受信手段は、１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信し、前記受信手段が、前記１以上の第２の端末装置のいずれかから患者認証情報を受信した場合、前記記憶手段が記憶している処方箋情のうち、当該患者認証情報を含む処方箋情報に含まれる処方薬情報を、当該患者認証情報の送信元の第２の端末装置に送信する送信手段を備えるサーバ装置を提供する。
【手続補正４】
【補正対象書類名】明細書
【補正対象項目名】０００８
【補正方法】変更
【補正の内容】
【０００８】
また、本発明は、一実施態様として、患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する取得手段と、前記取得手段が取得した患者認証情報をサーバ装置に送信する送信手段と、前記送信手段による患者認証情報の送信に対する応答として前記サーバ装置から送信されてくる、処方された薬剤を示す処方薬情報を受信する受信手段とを備える端末装置を提供する。
【手続補正５】
【補正対象書類名】明細書
【補正対象項目名】００１１
【補正方法】変更
【補正の内容】
【００１１】
また、本発明は、一実施態様として、コンピュータに、１以上の第１の端末装置の各々から、処方された薬剤を示す処方薬情報と、当該処方薬情報の発行元の医療機関を識別する医療機関識別情報と、当該処方薬情報の発行先の患者を当該医療機関において識別する患者識別情報と、当該患者の加入している健康保険の保険機関を識別する保険機関識別情報と、当該患者を当該保険機関において識別する被保険者識別情報とを含む処方箋情報を受信する処理と、前記受信した処方箋情報を記憶する処理と、１以上の第２の端末装置の各々から、医療機関を識別する医療機関識別情報と、当該医療機関において患者を別する患者識別情報と、保険機関を識別する保険機関識別情報と、当該保険機関において被保険者を識別する被保険者識別情報とを含む患者認証情報を受信する処理と、前記１以上の第２の端末装置のいずれかから患者認証情報を受信した場合、記憶している処方箋情報のうち、当該患者認証情報を含む処方箋情報に含まれる処方薬情報を、当該患者認証情報の送信元の第２の端末装置に送信する処理とを実行させるためのプログラムを提供する。
【手続補正６】
【補正対象書類名】明細書
【補正対象項目名】００１２
【補正方法】変更
【補正の内容】
【００１２】
また、本発明は、一実施態様として、コンピュータに、患者が利用した医療機関を識別する医療機関識別情報と、当該患者を当該医療機関において識別する患者識別情報と、当該患者の加入している健康保険の保険機関を識別する保険機関識別情報と、当該患者を当該保険機関において識別する被保険者識別情報とを含む患者認証情報を取得する処理と、前記取得した患者認証情報をサーバ装置に送信する処理と、患者認証情報の送信に対する応答として前記サーバ装置から送信されてくる、処方された薬剤を示す処方薬情報を受信する処理とを実行させるためのプログラムを提供する。